(57)【要約】【課題】電子文書の部分に対する筆記情報の関連付けの正確性を向上させる。【解決手段】学習支援サーバ７０では、電子文書の印刷時に、電子文書解析部７４が、電子文書における設問の位置と設問の構成要素を取得し、電子文書が印刷された媒体への筆記時に、筆跡管理部７２が、筆跡情報をストロークを単位として記憶する。また、学習支援のための支援情報の表示要求時に、ストローク群生成部７５が、ストロークをグループ化してストローク群を生成し、第１割り当て部７６が、電子文書における設問の位置とストローク群の位置とに基づいてストローク群を設問に割り当て、第２割り当て部７７が、電子文書における設問の構成要素とストローク群の構成要素とに基づいてその割り当てを修正し、支援情報生成部７８が、割り当ての結果に基づいて支援情報を生成し、送信部７９が支援情報を要求元に送信する。【選択図】図４
2011048491.tif 000002
【特許請求の範囲】
【請求項１】
電子文書を構成する部分の当該電子文書における位置を示す第１の位置情報を取得する第１の位置情報取得手段と、
前記部分の構成要素を示す第１の構成情報を取得する第１の構成情報取得手段と、
前記電子文書が印刷された媒体における筆記がなされた位置に対応する当該電子文書における位置を示す第２の位置情報を取得する第２の位置情報取得手段と、
前記筆記を電子化した筆記情報の構成要素を示す第２の構成情報を取得する第２の構成情報取得手段と、
前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する決定手段と
を備えたことを特徴とする筆記情報処理装置。
【請求項２】
前記決定手段は、前記第１の位置情報によって示される位置と前記第２の位置情報によって示される位置との比較結果よりも、前記第１の構成情報によって示される構成要素と前記第２の構成情報によって示される要素構成との比較結果を優先させて、前記部分に前記筆記情報を関連付けるかどうかを決定することを特徴とする請求項１に記載の筆記情報処理装置。
【請求項３】
前記決定手段は、前記第１の位置情報によって示される位置と前記第２の位置情報によって示される位置とが予め定めた位置関係にあれば、前記部分に前記筆記情報を関連付けるとの決定を行い、前記第１の構成情報によって示される構成要素と前記第２の構成情報によって示される構成要素とが整合していれば、当該決定を確定させることを特徴とする請求項１又は２に記載の筆記情報処理装置。
【請求項４】
前記決定手段は、前記第１の位置情報によって示される位置と前記第２の位置情報によって示される位置とが予め定めた位置関係にあれば、前記部分に前記筆記情報を関連付けるとの決定を行い、前記第１の構成情報によって示される構成要素と前記第２の構成情報によって示される構成要素とが整合していなければ、当該決定の修正を行うことを特徴とする請求項１又は２に記載の筆記情報処理装置。
【請求項５】
前記決定手段は、前記部分に隣接する他の部分の構成要素と前記第２の構成情報によって示される構成要素との比較結果に基づいて、前記修正を行うことを特徴とする請求項４に記載の筆記情報処理装置。
【請求項６】
前記決定手段は、前記第１の構成情報によって示される構成要素と前記第２の構成情報によって示される構成要素との比較結果を、何れかの構成要素が文字である場合には、当該文字を文字認識して得られた文字コードを比較することにより取得することを特徴とする請求項１乃至５の何れかに記載の筆記情報処理装置。
【請求項７】
電子文書が印刷された媒体における当該電子文書を構成する部分が印刷された位置を示す第１の位置情報を取得する第１の位置情報取得手段と、
前記部分の構成要素を示す第１の構成情報を取得する第１の構成情報取得手段と、
前記媒体における筆記がなされた位置を示す第２の位置情報を取得する第２の位置情報取得手段と、
前記筆記を電子化した筆記情報の構成要素を示す第２の構成情報を取得する第２の構成情報取得手段と、
前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する決定手段と
を備えたことを特徴とする筆記情報処理装置。
【請求項８】
電子文書を構成する部分の当該電子文書における位置を示す第１の位置情報を取得する第１の取得手段と、
前記部分の構成要素を当該部分から抽出する第１の抽出手段と、
前記電子文書が印刷された媒体における筆記がなされた位置を示す第２の位置情報を取得する第２の取得手段と、
前記筆記を電子化した筆記情報の構成要素を当該筆記情報から抽出する第２の抽出手段と、
前記第１の位置情報によって示される位置と前記第２の位置情報によって示される位置との比較結果、及び、前記第１の抽出手段により抽出された構成要素と前記第２の抽出手段により抽出された構成要素との比較結果に基づいて、前記部分に前記筆記情報を関連付けるかどうかを決定する決定手段と
を備えたことを特徴とする筆記情報処理システム。
【請求項９】
コンピュータに、
電子文書を構成する部分の当該電子文書における位置を示す第１の位置情報を取得する機能と、
前記部分の構成要素を示す第１の構成情報を取得する機能と、
前記電子文書が印刷された媒体における筆記がなされた位置に対応する当該電子文書における位置を示す第２の位置情報を取得する機能と、
前記筆記を電子化した筆記情報の構成要素を示す第２の構成情報を取得する機能と、
前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する機能と
を実現させるためのプログラム。
【請求項１０】
コンピュータに、
電子文書が印刷された媒体における当該電子文書を構成する部分が印刷された位置を示す第１の位置情報を取得する機能と、
前記部分の構成要素を示す第１の構成情報を取得する機能と、
前記媒体における筆記がなされた位置を示す第２の位置情報を取得する機能と、
前記筆記を電子化した筆記情報の構成要素を示す第２の構成情報を取得する機能と、
前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する機能と
を実現させるためのプログラム。
【発明の詳細な説明】
【技術分野】
【０００１】
本発明は、筆記情報処理装置、筆記情報処理システム、プログラムに関する。
【背景技術】
【０００２】
受講生の回答をする時間や振る舞いを考慮した柔軟な採点を可能にする技術が知られている（例えば、特許文献１参照）。この特許文献１の技術では、電子ペンからペン識別子と電子ペンの軌跡を示す座標情報を有するペン情報を１以上受信し、１以上のペン情報が有する座標情報から電子ペンの記載情報を取得し、ペン情報を受信した時刻を取得し、記載情報と時刻に基づいて、記載情報の得点を算出し、計算した得点をペン情報と対応付けて蓄積している。
【先行技術文献】
【特許文献】
【０００３】
【特許文献１】特開２００４−２６５２７２号公報
【発明の概要】
【発明が解決しようとする課題】
【０００４】
本発明の目的は、電子文書の部分に対する筆記情報の関連付けの正確性を向上させることにある。
【課題を解決するための手段】
【０００５】
請求項１に記載の発明は、電子文書を構成する部分の当該電子文書における位置を示す第１の位置情報を取得する第１の位置情報取得手段と、前記部分の構成要素を示す第１の構成情報を取得する第１の構成情報取得手段と、前記電子文書が印刷された媒体における筆記がなされた位置に対応する当該電子文書における位置を示す第２の位置情報を取得する第２の位置情報取得手段と、前記筆記を電子化した筆記情報の構成要素を示す第２の構成情報を取得する第２の構成情報取得手段と、前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する決定手段とを備えたことを特徴とする筆記情報処理装置である。
請求項２に記載の発明は、前記決定手段は、前記第１の位置情報によって示される位置と前記第２の位置情報によって示される位置との比較結果よりも、前記第１の構成情報によって示される構成要素と前記第２の構成情報によって示される要素構成との比較結果を優先させて、前記部分に前記筆記情報を関連付けるかどうかを決定することを特徴とする請求項１に記載の筆記情報処理装置である。
請求項３に記載の発明は、前記決定手段は、前記第１の位置情報によって示される位置と前記第２の位置情報によって示される位置とが予め定めた位置関係にあれば、前記部分に前記筆記情報を関連付けるとの決定を行い、前記第１の構成情報によって示される構成要素と前記第２の構成情報によって示される構成要素とが整合していれば、当該決定を確定させることを特徴とする請求項１又は２に記載の筆記情報処理装置である。
請求項４に記載の発明は、前記決定手段は、前記第１の位置情報によって示される位置と前記第２の位置情報によって示される位置とが予め定めた位置関係にあれば、前記部分に前記筆記情報を関連付けるとの決定を行い、前記第１の構成情報によって示される構成要素と前記第２の構成情報によって示される構成要素とが整合していなければ、当該決定の修正を行うことを特徴とする請求項１又は２に記載の筆記情報処理装置である。
請求項５に記載の発明は、前記決定手段は、前記部分に隣接する他の部分の構成要素と前記第２の構成情報によって示される構成要素との比較結果に基づいて、前記修正を行うことを特徴とする請求項４に記載の筆記情報処理装置である。
請求項６に記載の発明は、前記決定手段は、前記第１の構成情報によって示される構成要素と前記第２の構成情報によって示される構成要素との比較結果を、何れかの構成要素が文字である場合には、当該文字を文字認識して得られた文字コードを比較することにより取得することを特徴とする請求項１乃至５の何れかに記載の筆記情報処理装置である。
請求項７に記載の発明は、電子文書が印刷された媒体における当該電子文書を構成する部分が印刷された位置を示す第１の位置情報を取得する第１の位置情報取得手段と、前記部分の構成要素を示す第１の構成情報を取得する第１の構成情報取得手段と、前記媒体における筆記がなされた位置を示す第２の位置情報を取得する第２の位置情報取得手段と、前記筆記を電子化した筆記情報の構成要素を示す第２の構成情報を取得する第２の構成情報取得手段と、前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する決定手段とを備えたことを特徴とする筆記情報処理装置である。
請求項８に記載の発明は、電子文書を構成する部分の当該電子文書における位置を示す第１の位置情報を取得する第１の取得手段と、前記部分の構成要素を当該部分から抽出する第１の抽出手段と、前記電子文書が印刷された媒体における筆記がなされた位置を示す第２の位置情報を取得する第２の取得手段と、前記筆記を電子化した筆記情報の構成要素を当該筆記情報から抽出する第２の抽出手段と、前記第１の位置情報によって示される位置と前記第２の位置情報によって示される位置との比較結果、及び、前記第１の抽出手段により抽出された構成要素と前記第２の抽出手段により抽出された構成要素との比較結果に基づいて、前記部分に前記筆記情報を関連付けるかどうかを決定する決定手段とを備えたことを特徴とする筆記情報処理システムである。
請求項９に記載の発明は、コンピュータに、電子文書を構成する部分の当該電子文書における位置を示す第１の位置情報を取得する機能と、前記部分の構成要素を示す第１の構成情報を取得する機能と、前記電子文書が印刷された媒体における筆記がなされた位置に対応する当該電子文書における位置を示す第２の位置情報を取得する機能と、前記筆記を電子化した筆記情報の構成要素を示す第２の構成情報を取得する機能と、前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する機能とを実現させるためのプログラムである。
請求項１０に記載の発明は、コンピュータに、電子文書が印刷された媒体における当該電子文書を構成する部分が印刷された位置を示す第１の位置情報を取得する機能と、前記部分の構成要素を示す第１の構成情報を取得する機能と、前記媒体における筆記がなされた位置を示す第２の位置情報を取得する機能と、前記筆記を電子化した筆記情報の構成要素を示す第２の構成情報を取得する機能と、前記第１の位置情報によって示される位置と前記第２の位置情報によって示される位置との比較結果、及び、前記第１の構成情報によって示される構成要素と前記第２の構成情報によって示される構成要素との比較結果に基づいて、前記部分に前記筆記情報を関連付けるかどうかを決定する機能とを実現させるためのプログラムである。
【発明の効果】
【０００６】
請求項１の発明によれば、本構成を有していない場合に比較して、電子文書の部分に対する筆記情報の関連付けの正確性を向上させることができる。
請求項２の発明によれば、本構成を有していない場合に比較して、電子文書の部分に対する筆記情報の関連付けの正確性をより向上させることができる。
請求項３の発明によれば、本構成を有していない場合に比較して、電子文書の部分に対する筆記情報の関連付けの正確性を効率的に向上させることができる。
請求項４の発明によれば、本構成を有していない場合に比較して、電子文書の部分に対する筆記情報の関連付けの正確性を効率的に向上させることができる。
請求項５の発明によれば、電子文書の部分に対する筆記情報の関連付けがこれらの位置に基づいて行えなかったとしても、本構成を有していない場合に比較して、このような関連付けの正確性を効率的に向上させることができる。
請求項６の発明によれば、電子文書の部分の構成要素と筆記情報の構成要素の何れかが文字である場合に、本構成を有していない場合に比較して、構成要素を効率的に比較することができる。
請求項７の発明によれば、本構成を有していない場合に比較して、電子文書の部分に対する筆記情報の関連付けの正確性を向上させることができる。
請求項８の発明によれば、本構成を有していない場合に比較して、電子文書の部分に対する筆記情報の関連付けの正確性を向上させることができる。
請求項９の発明によれば、本構成を有していない場合に比較して、電子文書の部分に対する筆記情報の関連付けの正確性を向上させることができる。
請求項１０の発明によれば、本構成を有していない場合に比較して、電子文書の部分に対する筆記情報の関連付けの正確性を向上させることができる。
【図面の簡単な説明】
【０００７】
【図１】本発明の実施の形態が適用されるコンピュータシステムの構成例を示した図である。
【図２】本発明の実施の形態における文書サーバの機能構成例を示したブロック図である。
【図３】本発明の実施の形態における識別情報サーバの機能構成例を示したブロック図である。
【図４】本発明の実施の形態における学習支援サーバの機能構成例を示したブロック図である。
【図５】本発明の実施の形態における印刷文書出力時の動作例を示したシーケンス図である。
【図６】本発明の実施の形態で生成される符号画像の例を示した図である。
【図７】本発明の実施の形態で記憶される媒体管理情報の例を示した図である。
【図８】本発明の実施の形態における学習支援サーバの電子文書解析部の動作例を示したフローチャートである。
【図９】本発明の実施の形態における電子文書解析部の動作例の説明で用いる電子文書の例を示した図である。
【図１０】本発明の実施の形態における学習支援サーバの解析結果記憶部に記憶される内容の例を示した図である。
【図１１】本発明の実施の形態におけるデジタルペンの構成例を示した図である。
【図１２】本発明の実施の形態におけるデジタルペンの制御回路の機能構成例を示したブロック図である。
【図１３】本発明の実施の形態における印刷文書への筆記時の動作例を示したシーケンス図である。
【図１４】本発明の実施の形態で用いられる筆跡管理情報の例を示した図である。
【図１５】本発明の実施の形態における学習支援サーバのストローク群生成部の動作例を示したフローチャートである。
【図１６】本発明の実施の形態におけるストローク群生成部の動作例を説明するための模式図である。
【図１７】本発明の実施の形態における学習支援サーバのストローク群管理情報記憶部に記憶される内容の例を示した図である。
【図１８】本発明の実施の形態におけるストローク群生成部の動作例の説明で用いる媒体を示した図である。
【図１９】本発明の実施の形態における学習支援サーバの第１割り当て部の動作例を示したフローチャートである。
【図２０】本発明の実施の形態における学習支援サーバのストローク群管理情報記憶部に記憶される内容の例を示した図である。
【図２１】本発明の実施の形態における学習支援サーバの第２割り当て部の動作例を示したフローチャートである。
【図２２】本発明の実施の形態における学習支援サーバのストローク群管理情報記憶部に記憶される内容の例を示した図である。
【図２３】本発明の実施の形態で表示される第１の支援情報を示した図である。
【図２４】本発明の実施の形態で表示される第２の支援情報を示した図である。
【図２５】本発明の実施の形態を実現可能なコンピュータのハードウェア構成例を示した図である。
【発明を実施するための形態】
【０００８】
以下、添付図面を参照して、本発明の実施の形態について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０と、端末装置５０と、学習支援サーバ７０とがネットワーク８０に接続されることにより構成されている。また、端末装置５０には、デジタルペン６０が通信装置５５を介して接続されている。
【０００９】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【００１０】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。
画像形成装置４０は、媒体に画像を印刷し、印刷文書として出力する装置である。この画像形成装置４０は、プリンタの機能のみを備えたものであってもよいし、他にスキャナやファクシミリの機能を備えたものであってもよい。ここで、画像形成装置４０における画像形成方式としては、例えば、電子写真方式を用いるとよいが、その他の方式を用いてもよい。尚、以下では、媒体に付与する識別情報を識別情報サーバ３０が発行するものとして説明するが、システム内で重複なく発行できるのであれば識別情報はどの装置で発行してもよく、この画像形成装置４０で発行するようにしてもよい。その場合は、例えば、画像形成装置４０の機械番号と画像形成装置４０におけるプリントカウントの値とを結合したものを識別情報として用いるとよい。
【００１１】
端末装置５０は、印刷文書に対する筆記を電子化した情報（以下、「筆跡情報」という）を、印刷文書に記録された画像の元となる電子文書に反映させるために学習支援サーバ７０に送信するコンピュータ装置である。また、筆跡情報を反映する対象の電子文書をディスプレイに表示し、その上に筆跡情報を重ねて表示するようにしてもよい。ここで、端末装置５０としては、例えば、パーソナルコンピュータやワークステーション、その他のコンピュータを用いるとよい。尚、本実施の形態では、筆記を電子化した筆記情報の一例として、筆跡情報を用いている。また、筆跡情報を主に手書き情報として説明するが、これに限らず、例えば、建築や機械等の図面データを出力する装置であるプロッタ等によって機械的に描画された情報であってもよい。
【００１２】
通信装置５５は、デジタルペン６０から筆跡情報を取得して端末装置５０に送信する装置である。例えば、デジタルペン６０を差し込む差込口を設け、この差込口にデジタルペン６０が差し込まれると、デジタルペン６０に記憶された筆跡情報を端末装置５０に送信するようにするとよい。ここで、端末装置５０との間の通信の方式としては、ＵＳＢ（Universal Serial Bus）、Ｂｌｕｅｔｏｏｔｈ（登録商標）、赤外線通信機能等、種々の方式が考えられる。また、図では、通信装置５５をデジタルペン６０と別体のものとして示しているが、必ずしも別体である必要はなく、一体に構成してもよい。
【００１３】
デジタルペン６０は、電子筆記具の一例であり、印刷文書上に文字又は図形を筆記するために用いられるペンデバイスである。また、媒体に印刷された符号画像を読み取る撮像素子を備える。そして、撮像素子で読み取った符号画像から位置情報を検出し、筆記した文字又は図形をイメージデータ化した筆跡情報をこの位置情報に基づいて生成し記憶する。
【００１４】
学習支援サーバ７０は、文書サーバ２０で管理される電子文書（例えば、試験の問題や解答の文書データ）が印刷された媒体（例えば、試験の問題用紙や解答用紙）による受験者の学習を支援するコンピュータ装置である。特に、本実施の形態では、試験の問題用紙や解答用紙に対する筆跡情報を管理し、試験の設問ごとに、受験者の思考過程や思考に要した時間に関する情報等、学習を支援するための情報（以下、「支援情報」という）を端末装置５０に提供する機能も有している。ここで、学習支援サーバ７０としては、例えば、パーソナルコンピュータやワークステーション、その他のコンピュータを用いるとよい。
ネットワーク８０は、各種情報の交換に用いる通信手段である。このネットワーク８０としては、インターネットやＬＡＮ（Local Area Network）が例示される。
【００１５】
尚、本明細書では、媒体に記録する画像の元となる電子データを「電子文書」と表記するが、これは、テキストを含む「文書」を電子化したデータのみを意味するものではない。例えば、絵、写真、図形等の画像データ（ラスタデータかベクターデータかによらない）、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書、媒体、更にはデジタルペン６０やユーザについて、それぞれを一意に識別するための識別情報を用いて処理を行うが、単に「識別情報」というときは、このうち、媒体の識別情報を意味するものとする。
【００１６】
ところで、本実施の形態では、このようなコンピュータシステムにおいて、印刷文書の出力、印刷文書への筆記、支援情報の表示という三段階の動作を行う。そこで、以下ではこれらを分けて説明する。
【００１７】
［印刷文書の出力］
印刷文書を出力するときには、文書サーバ２０及び識別情報サーバ３０が中心となって動作し、これに加えて、学習支援サーバ７０も動作するので、これらのサーバの構成について説明する。
まず、文書サーバ２０の構成について説明する。
図２は、文書サーバ２０の機能構成例を示したブロック図である。
図示するように、文書サーバ２０は、受信部２１と、識別情報取得部２２とを備える。また、識別符号生成部２５ａと、位置符号生成部２５ｂと、符号配置部２５ｃと、パターン画像記憶部２５ｄと、符号画像生成部２５ｅとを備える。更に、文書画像生成部２６と、画像合成部２７と、送信部２９とを備える。
【００１８】
受信部２１は、端末装置１０から印刷要求を受信する。ここで、印刷要求には、印刷対象となる電子文書の識別情報（以下、「文書ＩＤ」という）と、その電子文書の印刷対象のページ番号と、印刷に関する各種設定（以下、「印刷設定」という）とが含まれる。
識別情報取得部２２は、受信部２１から文書ＩＤ、ページ番号、印刷設定を取得し、これを送信部２９に渡して識別情報の発行要求の送信を指示し、これを文書画像生成部２６に渡して文書画像の生成を指示する。また、受信部２１から識別情報を取得し、これを識別符号生成部２５ａに渡して識別符号の生成を指示する。
【００１９】
識別符号生成部２５ａは、媒体を特定する識別情報を符号化して識別符号を生成する。
位置符号生成部２５ｂは、媒体上の座標位置を示す位置情報を符号化して位置符号を生成する。
符号配置部２５ｃは、識別符号生成部２５ａにて生成された識別符号や、位置符号生成部２５ｂにて生成された位置符号等を予め定めたレイアウトに従って２次元平面に配置し２次元の符号配列を生成する。
パターン画像記憶部２５ｄは、符号配列に格納される各符号の符号値に対応するパターン画像を記憶する。
符号画像生成部２５ｅは、符号配置部２５ｃが生成した２次元の符号配列を参照し、各符号値に対応したパターン画像を選択して符号画像を生成する。
【００２０】
文書画像生成部２６は、識別情報取得部２２から文書ＩＤ、ページ番号、印刷設定を取得し、この文書ＩＤ及びページ番号で特定される電子文書のページを図示しない記憶手段から読み出し、印刷設定に従ってその電子文書の文書画像を生成する。
画像合成部２７は、符号画像生成部２５ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。
【００２１】
次に、識別情報サーバ３０の構成について説明する。
図３は、識別情報サーバ３０の機能構成例を示したブロック図である。
図示するように、識別情報サーバ３０は、受信部３１と、媒体管理部３２と、媒体管理情報記憶部３３と、送信部３９とを備える。
【００２２】
受信部３１は、文書サーバ２０から識別情報の発行要求を受信する。また、学習支援サーバ７０から識別情報を指定した文書ＩＤ、ページ番号、印刷設定の検索要求を受信する。
媒体管理部３２は、識別情報の発行要求があると、識別情報を重複することなく発行し、その際に指定された文書ＩＤ、ページ番号、印刷設定を、識別情報に関連付けて記憶する。更に、識別情報が指定されると、その識別情報に対応する文書ＩＤ、ページ番号、印刷設定を取り出す。
【００２３】
媒体管理情報記憶部３３は、識別情報と、その識別情報が付与された媒体に印刷された電子文書の文書ＩＤと、その識別情報が付与された媒体に印刷された電子文書のページのページ番号と、それが付与された媒体に電子文書が印刷された際の印刷設定とを記憶するデータベースである。
送信部３９は、文書サーバ２０からの要求に応じて発行した識別情報を文書サーバ２０に送信する。
【００２４】
次いで、学習支援サーバ７０の構成について説明する。
図４は、学習支援サーバ７０の機能構成例を示したブロック図である。尚、学習支援サーバ７０は、後述する印刷文書への筆記及び支援情報の表示を行うときは中心となって動作するので、図には、印刷文書への筆記及び支援情報の表示のための構成も示している。
図示するように、学習支援サーバ７０は、受信部７１と、筆跡管理部７２と、筆跡管理情報記憶部７３と、電子文書解析部７４と、解析結果記憶部７４０とを備える。また、ストローク群生成部７５と、第１割り当て部７６と、第２割り当て部７７と、ストローク群管理情報記憶部７７０と、支援情報生成部７８と、解答情報記憶部７８０と、送信部７９とを備える。
【００２５】
受信部７１は、印刷文書の出力が指示された際には、印刷対象の電子文書の文書ＩＤ及びページのページ番号を文書サーバ２０から受信する。また、印刷文書に対する筆記がなされた際には、識別情報、筆跡情報、ペンＩＤを端末装置５０から受信する。更に、支援情報の表示の指示を端末装置５０から受信する。
【００２６】
筆跡管理部７２は、受信部７１が受信した識別情報、筆跡情報、ペンＩＤを取得し、筆跡管理情報記憶部７３に登録する。このとき、筆跡情報は、ストロークを単位としたストローク情報として登録される。ここで、ストロークとは、ペン先を媒体に接触させた状態でなされた筆記単位のことである。また、筆跡情報には、筆跡における各点が指示された時刻の情報も含まれているので、ストロークを開始した時刻及び終了した時刻の情報を筆記時間情報として登録する。本実施の形態では、電子文書が印刷された媒体における筆記がなされた位置を示す第２の位置情報を取得する第２の位置情報取得手段又は第２の取得手段の一例として、筆跡管理部７２を設けている。
筆跡管理情報記憶部７３は、筆跡管理部７２によって管理される筆跡管理情報を記憶する。
【００２７】
電子文書解析部７４は、文書サーバ２０から受信した印刷対象の電子文書のページからテキストや図形を抽出する。画像や表を抽出してもよいが、以下では、テキストや図形を抽出するものとして説明する。そして、抽出したテキストや図形を解析し、電子文書の構成要素の一例である文字列や基本図形を取得する。また、文字列や基本図形の電子文書内での座標情報も生成する。本実施の形態では、電子文書を構成する部分の電子文書における位置を示す第１の位置情報を取得する第１の位置情報取得手段又は第１の取得手段の一例として、電子文書解析部７４を設けている。また、電子文書の部分の構成要素を示す第１の構成情報を取得する第１の構成情報取得手段の一例として、更に、電子文書の部分の構成要素をその部分から抽出する抽出手段の一例として、電子文書解析部７４を設けている。
解析結果記憶部７４０は、電子文書解析部７４により取得された文字列や基本図形の情報を解析結果として記憶する。
【００２８】
ストローク群生成部７５は、筆跡管理情報記憶部７３に記憶されたストロークと次のストロークとの時間間隔に基づいてストローク単位の筆跡情報をグループ化し、ストロークグループ（ストローク群）単位の筆跡情報として記憶する。このとき、媒体上のストロークの位置を電子文書上の位置に変換する処理も行う。本実施の形態では、電子文書が印刷された媒体における筆記がなされた位置に対応する電子文書における位置を示す第２の位置情報を取得する第２の位置情報取得手段の一例として、ストローク群生成部７５を設けている。
【００２９】
第１割り当て部７６は、ストローク群生成部７５により生成されたストローク群の位置と、解析結果記憶部７４０に記憶された文字列や基本図形の位置とに基づいて、ストローク群を設問番号に割り当てる。本実施の形態では、第１の位置情報によって示される位置と第２の位置情報によって示される位置との比較結果、及び、第１の構成情報によって示される構成要素と第２の構成情報によって示される構成要素との比較結果に基づいて、部分に筆記情報を関連付けるかどうかを決定する決定手段の機能のうち、前者の比較結果に基づく決定を行う機能の一例として、第１割り当て部７６を設けている。
【００３０】
第２割り当て部７７は、ストローク群生成部７５により生成されたストローク群から文字列や基本図形を抽出して、この抽出された文字列や基本図形を、解析結果記憶部７４０に記憶された文字列や基本図形と比較し、比較結果に基づいて、ストローク群を設問番号に割り当てる。本実施の形態では、筆記情報の構成要素を示す第２の構成情報を取得する第２の構成情報取得手段の一例として、また、筆記情報の構成要素を筆記情報から抽出する第２の抽出手段の一例として、第２割り当て部７７を設けている。また、第１の位置情報によって示される位置と第２の位置情報によって示される位置との比較結果、及び、第１の構成情報によって示される構成要素と第２の構成情報によって示される構成要素との比較結果に基づいて、部分に筆記情報を関連付けるかどうかを決定する決定手段の機能のうち、後者の比較結果に基づく決定を行う機能の一例として、第２割り当て部７７を設けている。
【００３１】
ストローク群管理情報記憶部７７０は、ストローク群生成部７５により生成され、第１割り当て部７６及び第２割り当て部７７により更新されるストローク群管理情報を記憶する。
【００３２】
支援情報生成部７８は、支援情報の表示が指示された際に、支援情報を生成する。この支援情報としては、例えば、各設問における思考過程を示すストローク群を時系列に並べた情報や、各設問に取り組んだ時間をグラフ化した情報等がある。
解答情報記憶部７８０は、支援情報生成部７８が支援情報を生成する際に用いることがある解答情報を記憶する。ここで、解答情報とは、試験の問題に対する正しい思考過程や正解に関する情報である。
送信部７９は、支援情報の表示が指示された際には、端末装置５０に対して、支援情報生成部７８が生成した支援情報を送信する。
【００３３】
次いで、印刷文書を出力するときの動作について説明する。
図５は、このときの文書サーバ２０及び識別情報サーバ３０の動作を示したシーケンス図である。
文書サーバ２０では、まず、受信部２１が、電子文書の印刷要求を端末装置１０から受信する（ステップ２１１）。この電子文書の印刷要求には、文書ＩＤ、ページ番号、印刷設定が含まれる。ここで、文書ＩＤとしては、例えば、ＵＲＬ（Uniform Resource Locator）を用いるとよいが、電子文書を一意に特定することができるものであれば他の情報を用いてもよい。また、ページ番号は、電子文書のページの順番を表す数字等である。このページ番号は印刷設定に含めることもあるが、本実施の形態では、媒体に印刷される文書画像の元となる電子データを特定するものとして、印刷設定とは分けて説明する。更に、印刷設定は、部数、用紙サイズ、拡大縮小率、複数ページを１枚の媒体にまとめて出力する機能、余白等の設定を含む。
受信部２１は、これらの情報を受信すると、識別情報取得部２２に受け渡す。すると、識別情報取得部２２は、受け渡された情報を送信部２９に渡し、送信部２９が、これらの情報を識別情報サーバ３０に送信することで、識別情報の発行を要求する（ステップ２１２）。
【００３４】
これにより、識別情報サーバ３０では、受信部３１が、文書ＩＤ、ページ番号、印刷設定を受信する（ステップ３１１）。そして、文書ＩＤ、ページ番号、印刷設定は媒体管理部３２に渡され、媒体管理部３２が、媒体管理情報記憶部３３から未使用の識別情報を取り出す（ステップ３１２）。ここで、取り出す識別情報の数は、印刷設定に応じて決められる。つまり、基本的には、印刷するページ数に印刷部数を乗じて得られる数の識別情報が取り出される。但し、設定情報中に、複数ページを１枚の媒体にまとめて出力する機能の指定等がある場合は、それも考慮される。例えば、１０ページの電子文書を２ページずつ１枚の媒体にまとめて５部印刷する場合は、２５（＝１０÷２×５）個の識別情報が取り出される。
次に、媒体管理部３２は、識別情報と文書ＩＤとページ番号と印刷設定とを関連付けて媒体管理情報記憶部３３に記憶する（ステップ３１３）。そして、ステップ３１２で発行された識別情報は送信部３９に渡され、送信部３９が、文書サーバ２０に対し、識別情報を送信する（ステップ３１４）。
【００３５】
これにより、文書サーバ２０では、受信部２１が識別情報を受信する（ステップ２１３）。そして、受信部２１は、受信した識別情報を識別情報取得部２２に受け渡す。
すると、文書サーバ２０は、識別情報と位置情報とを表す符号画像を生成する（ステップ２１４）。この符号画像の生成は、具体的には、次のような処理により行われる。
即ち、まず、識別情報取得部２２が、ステップ２１３で取得した識別情報を識別符号生成部２５ａに渡し、識別符号生成部２５ａが、識別情報を符号化することで識別符号を生成する。尚、識別情報の符号化の詳細については後述する。
また、位置符号生成部２５ｂは、受信部２１から印刷設定を受け取り、印刷設定に応じた範囲の位置情報を符号化することで位置符号を生成する。尚、位置情報の符号化の詳細についても後述する。
その後、符号配置部２５ｃが、識別符号と位置符号とを予め定めたレイアウトに従って配置し、これを符号画像生成部２５ｅが、パターン画像記憶部２５ｄに記憶されたパターン画像を用いて画像化することで符号画像を生成する。
【００３６】
また、文書サーバ２０では、文書画像生成部２６が、電子文書のページの文書画像を生成する（ステップ２１５）。その際、文書画像生成部２６は、ステップ２１１で識別情報取得部２２が取得した文書ＩＤ及びページ番号を受け取り、これに基づいて対象となる電子文書のページを図示しない記憶手段から読み出す。また、ステップ２１１で識別情報取得部２２が取得した印刷設定を受け取り、これに基づいて文書画像を生成する。
そして、画像合成部２７は、ステップ２１４で生成された符号画像と、ステップ２１５で生成された文書画像とを合成し、合成画像を生成する（ステップ２１６）。
その後、合成画像は送信部２９に渡され、送信部２９が、合成画像の印刷命令を画像形成装置４０に送信する（ステップ２１７）。ここで、合成画像の印刷命令は、例えば、文書画像の印刷命令の列からなるＰＤＬ（Page Description Language）ファイルに対し、符号画像として印刷する内容をＰＤＬコマンドとして設定したＰＤＬの形式で送信される。
【００３７】
これにより、画像形成装置４０は、文書画像を例えばＣ（シアン）、Ｍ（マゼンタ）、Ｙ（イエロー）のトナーを用いて媒体に印刷する。また、符号画像を例えばＫ（カーボンを含む黒）のトナー又は特殊トナーを用いて媒体に印刷する。
ここで、特殊トナーとしては、可視光領域（４００ｎｍ〜７００ｎｍ）における最大吸収率が７％以下であり、近赤外領域（８００ｎｍ〜１０００ｎｍ）における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００３８】
尚、ここでは、電子文書の画像に符号画像を合成して印刷することとしたが、白紙（ノートや付箋等）に符号画像を印刷する構成としてもよい。その場合は、ステップ２１１で受信する印刷要求に文書ＩＤ及びページ番号を含めないようにし、ステップ３１３で識別情報と文書ＩＤ、ページ番号、印刷設定との関連付けを行わないようにし、ステップ２１５における文書画像の生成は実行しないようにすればよい。
【００３９】
また、本実施の形態では、文書サーバ２０において、最後に、送信部２９が、学習支援サーバ７０に対し、印刷対象の電子文書のページの解析指示を送信する（ステップ２１８）。このとき、送信部２９は、例えば、印刷対象の電子文書と共に、その電子文書の文書ＩＤと、その電子文書の印刷対象のページのページ番号とを送信するとよい。
【００４０】
次に、本実施の形態で生成される符号画像について説明する。
図６は、符号画像を構成する画像等の一例を示した図である。
まず、符号画像を構成する単位パターンについて説明する。
図６（ａ）は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００４１】
ところで、図６（ａ）に示したドットは、あくまで情報表現のためのドットであり、画像を構成する最小の点を意味するドットとは必ずしも一致しない。本実施の形態において、情報表現のためのドット（図６（ａ）の最小の四角）は、６００ｄｐｉにおける２ドット×２ドットの大きさを有している。６００ｄｐｉにおける１ドットの大きさは０．０４２３ｍｍなので、情報表現のためのドット（図６（ａ）の最小の四角）の一辺は、８４．６μｍ（＝０．０４２３ｍｍ×２）である。情報表現のためのドットは、大きくなればなるほど目に付きやすくなるため、小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００４２】
次に、このような単位パターンから構成される符号ブロックについて説明する。
図６（ｂ）に、符号ブロックのレイアウトの一例を示す。尚、ここでは、画像ではなく、パターン画像によって置き換えられる直前の符号配列で示している。即ち、図６（ｂ）の最小の四角（以下、「単位ブロック」という）に、図６（ａ）のような単位パターン（３６通りの単位パターンのいずれか）が配置され、その画像が媒体に形成されることになる。
図６（ｂ）のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６（＝４×４）個の単位ブロックに識別符号が配置されている。
【００４３】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図６（ｂ）の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００４４】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列（Ｋ＝１３）を使用したとする。この場合、位置符号も５ビット単位で埋め込むため、系列長８１９１のＭ系列から５ビットずつ取り出してブロック化する。
【００４５】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００４６】
ここで、ステップ３１３で記憶される媒体管理情報の具体的な内容について説明する。
図７は、媒体管理情報の具体例を示した図である。
図示するように、媒体管理情報は、識別情報と、文書ＩＤと、ページ番号と、印刷設定とを対応付けたものとなっている。
このうち、識別情報は、既に述べた通り、媒体を一意に識別するための情報である。
また、文書ＩＤは、既に述べた通り、電子文書を一意に識別するための情報である。
更に、ページ番号は、既に述べた通り、電子文書のページを示す例えば数字である。
更にまた、印刷設定は、既に述べた通り、端末装置１０で電子文書の印刷が要求された際に設定された用紙サイズ、拡大縮小率等の情報である。
【００４７】
図には、文書ＩＤ「ＤｏｃＱ」の電子文書の１ページ目、２ページ目、３ページ目、４ページ目、５ページ目を、それぞれ、識別情報「０００００１」、「０００００２」、「０００００３」、「０００００４」、「０００００５」のＡ４サイズの媒体に拡縮率１００％で印刷したことが示されている。ここで、文書ＩＤ「ＤｏｃＱ」で特定される電子文書は、例えば、試験の問題が記述された電子文書である。
また、図には、文書ＩＤ「ＤｏｃＡ」の電子文書の１ページ目を、識別情報「００００２６」のＡ４サイズの媒体に拡縮率１００％で印刷したことも示されている。ここで、文書ＩＤ「ＤｏｃＡ」で特定される電子文書は、例えば、試験の解答が記述された電子文書である。
【００４８】
次いで、ステップ２１８での解析指示の送信に応じた学習支援サーバ７０の動作について説明する。
まず、学習支援サーバ７０では、受信部７１が、解析対象の電子文書、文書ＩＤ、印刷されたページのページ番号を受信し、電子文書解析部７４が参照可能なメモリに格納する。そして、電子文書解析部７４による電子文書のページの解析処理が開始する。
図８は、このときの電子文書解析部７４の動作例を示したフローチャートである。
まず、電子文書解析部７４は、メモリに格納された文書ＩＤを取得する（ステップ７４１）。
次に、電子文書解析部７４は、メモリに格納されたページ番号の中から１つのページ番号を取得する（ステップ７４２）。そして、この取得したページ番号で特定される電子文書のページから電子文書を構成する要素である文書要素を抽出する（ステップ７４３）。
【００４９】
そして、電子文書解析部７４は、抽出した文書要素がテキストであるか図形であるかを判定する（ステップ７４４）。尚、この判定は、例えば、文書要素に付加されたその種類を表す属性情報に基づいて行えばよい。
【００５０】
まず、このステップで文書要素がテキストであると判定された場合について説明する。
この場合、電子文書解析部７４は、ステップ７４３で抽出したテキストに対して、形態素解析を行う（ステップ７４５）。ここで、形態素解析の手法としては、例えば、最長一致法等の規則による解析手法や、確率的言語モデルによる解析手法が考えられるが、これらに限るものではなく、如何なる公知技術の手法を用いてもよい。また、日本語以外の分かち書きされる言語（英語等）については、空白によって形態素に分けてもよい。
次に、電子文書解析部７４は、各形態素の座標を示す座標情報を生成する（ステップ７４６）。尚、この場合の座標情報としては、例えば、電子文書のページ内で各形態素が占める矩形領域の左上点及び右下点の座標を含むものを生成すればよい。
また、電子文書解析部７４は、後述する支援情報の表示の際のストロークの文字認識の正答率を上げるため、文字認識用辞書における各形態素に対する尤度を高くする（ステップ７４７）。
【００５１】
一方、ステップ７４４で文書要素が図形であると判定された場合について説明する。
この場合、電子文書解析部７４は、ステップ７４３で抽出した図形に対して、ライン、多角形、円、円弧等の基本図形（プリミティブ）に分割する処理を行う（ステップ７４８）。即ち、文書要素が図形の場合においても、テキストの場合の形態素と同様の単位にする。
次に、電子文書解析部７４は、各基本図形の座標を示す座標情報を生成する（ステップ７４９）。尚、この場合の座標情報としても、例えば、電子文書のページ内で各基本図形が占める矩形領域の左上点及び右下点の座標を含むものを生成すればよい。
【００５２】
次いで、電子文書解析部７４は、ステップ７４５での形態素解析によって得られた形態素の中から設問番号に関するキーワードを抽出し、このキーワードに基づいて、ステップ７４３で抽出した文書要素がどの設問番号の設問に属するかを決定する（ステップ７５０）。例えば、設問番号に関するキーワードとして「設問」というキーワードを用いるとする。この場合、通常は、「設問」という文字列に続く数字が設問番号を表すので、ステップ７４３で抽出した文書要素が「設問」というキーワードを含んでいれば、それに続く数字が、ステップ７４３で抽出した文書要素が属する設問番号を表すと判断する。尚、ステップ７４３で抽出した文書要素がテキストであっても「設問」というキーワードを含んでいない場合や、ステップ７４３で抽出した文書要素が図形である場合は、直前の文書要素に対して決まっている設問番号を引き継ぐようにする。
そして、電子文書解析部７４は、ステップ７４１で取得した文書ＩＤに関連付けて、ステップ７４６又はステップ７４９で生成した座標情報、ステップ７４３で抽出した文書要素、ステップ７５０で決定した設問番号を、解析結果記憶部７４０に記憶する（ステップ７５１）。
【００５３】
その後、電子文書解析部７４は、他のページ番号がメモリに格納されているか判定する（ステップ７５２）。そして、他のページ番号が格納されていれば、ステップ７４２〜７５１の処理を繰り返すが、他のページ番号が格納されていなければ、処理は終了する。
【００５４】
ここで、電子文書解析部７４による電子文書の解析について具体的に説明する。
図９は、印刷対象の電子文書のページの具体例を示した図である。この例では、電子文書のページとして、試験の問題を記述したページを示しており、このページは設問１と設問２を含んでいる。また、設問１は、文章だけでなく、設問を解く際に参照される図形も含んでいる。
【００５５】
図１０は、図９の電子文書のページの解析結果を示したものである。
図示するように、解析結果は、ページ番号と、座標情報と、文書要素と、設問番号とを対応付けたものとなっている。
ページ番号は、電子文書のページの順番を表す数字である。このページ番号は、ステップ７４２で取得される。
座標情報は、対応する文書要素のページ内の位置を、文書要素の左上点及び右下点の座標によって表した情報である。ハイフンの左側が左上点の座標であり、ハイフンの右側が右下点の座標である。尚、ここでは、電子文書のページ上で、横方向にＸ軸をとり、右方向をＸ軸の正方向とし、縦方向にＹ軸をとり、下方向をＹ軸の正方向としている。この座標情報は、ステップ７４６又はステップ７４９で生成される。
文書要素は、既に述べた通り、電子文書を構成する要素である。この文書要素は、ステップ７４３で取り出される。
【００５６】
設問番号は、電子文書に記述された設問の順番を表す数値である。この設問番号は、ステップ７５０で決定される。このとき、１行目から４行目、１１行目から１５行目、１７行目から１８行目においては、それぞれの先頭に「設問」というキーワードが見つかるので、それに続く数字を設問番号としている。尚、１３行目から１４行目の「設問１」は、文書要素に途中に出現しているので、文書要素に対する設問番号とはせず、この文書要素に対する設問番号としては、１１行目から１２行目の「設問２」から判断した「２」を引き継いで設定している。また、６行目から１０行目の文書要素は図形であり、「設問」というキーワードは見つからないので、それまでの文書要素から判断した「１」を引き継いで設問番号としている。
尚、この解析結果全体が、例えば、ステップ７４１で取得した文書ＩＤに対応する記憶領域に記憶されることで、文書ＩＤに関連付けられる。
【００５７】
［印刷文書への筆記］
このようにして出力された印刷文書（例えば、試験の問題用紙や解答用紙）を用いて行われる試験では、受験者が、印刷文書（例えば、問題用紙）に解答に至るまでの考え方をメモしたり、印刷文書（例えば、解答用紙）に解答を記入したりすることがある。本実施の形態では、この印刷文書への筆記をデジタルペン６０で行い、筆記の内容を電子化した筆跡情報は学習支援サーバ７０に記憶される。即ち、印刷文書への筆記を行うときには、デジタルペン６０及び学習支援サーバ７０が中心となって動作するので、これらの構成について説明する。
【００５８】
まず、デジタルペン６０の構成について説明する。
図１１は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、デジタルペン６０による筆記動作をペンチップ６９に加わる圧力によって検出する圧力センサ６２が接続されている。更に、媒体上に赤外光を照射する赤外ＬＥＤ６３と、反射光を検知することによって符号画像を読み取る赤外ＣＭＯＳ６４も接続されている。更にまた、識別情報及び位置情報を記憶するための情報メモリ６５と、外部装置と通信するための通信回路６６と、ペンを駆動するためのバッテリ６７と、ペンの識別情報（ペンＩＤ）を記憶するペンＩＤメモリ６８も接続されている。
【００５９】
次に、このうち制御回路６１において実現される機能構成について更に詳細に説明する。
図１２は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６とを備える。そして、更に、ペンＩＤ取得部６１７と、通信制御部６１９とを備える。
【００６０】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００６１】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図６（ａ）の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００６２】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。
【００６３】
筆跡情報生成部６１６は、位置情報取得部６１５が取得した位置情報を連結して筆跡情報を生成する。ここで、筆跡情報には、少なくともデジタルペン６０のペン先の軌跡を電子化したデータが含まれるが、これ以外の情報を含んでもよい。ペン先の軌跡以外の情報としては、例えば、筆記した時にペンに設定されていた色の情報や、筆圧の情報等がある。
ペンＩＤ取得部６１７は、デジタルペン６０の識別情報であるペンＩＤをペンＩＤメモリ６８（図１１参照）から取得する。
通信制御部６１９は、識別情報取得部６１４が取得した識別情報と、筆跡情報生成部６１６が生成した筆跡情報と、ペンＩＤ取得部６１７が取得したペンＩＤとを通信回路６６に受け渡すことで、通信装置５５への情報送信を実現する。また、学習支援サーバ７０からの筆跡情報登録完了報告を受信した通信回路６６から、この登録完了報告を受け取る。
【００６４】
次に、デジタルペン６０が筆跡情報を生成して学習支援サーバ７０に登録する際の動作について説明する。
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。
【００６５】
図１３は、その後のデジタルペン６０及び学習支援サーバ７０の動作を示したシーケンス図である。
デジタルペン６０は、識別情報と、筆跡情報と、ペンＩＤとを取得する(ステップ６２１)。具体的には、次のような処理を行う。即ち、まず、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆跡情報生成部６１６が、位置情報を連結して筆跡情報を生成する。更に、本実施の形態では、ペンＩＤ取得部６１７が、ペンＩＤメモリ６８（図１１参照）からペンＩＤを取得する。
【００６６】
そして、通信制御部６１９がこれらの情報を通信回路６６に受け渡し、通信回路６６がこれらの情報を通信装置５５及び端末装置５０を介して学習支援サーバ７０へ送信する(ステップ６２２)。
【００６７】
これにより、学習支援サーバ７０では、まず、受信部７１が、識別情報、筆跡情報、ペンＩＤを受信し、筆跡管理部７２に渡す（ステップ７２１）。
次に、筆跡管理部７２は、筆跡情報をストローク単位に分割した情報であるストローク情報から、ストロークの開始時刻及び終了時刻を、筆記時間情報として取り出す（ステップ７２２）。そして、ストローク情報を一意に識別するストロークＩＤ、識別情報、ストローク情報、筆記時間情報を、ペンＩＤに関連付けて、筆跡管理情報記憶部７３に記憶する（ステップ７２３）。
その後、筆跡情報登録完了報告が筆跡管理部７２から送信部７９へ渡され、送信部７９が、筆跡情報登録完了報告を端末装置５０及び通信装置５５を介してデジタルペン６０に送信する（ステップ７２４）。
【００６８】
これにより、デジタルペン６０では、通信回路６６が筆跡情報登録完了報告を受信し、通信制御部６１９が通信回路６６からこれを受け取る（ステップ６２３）。
【００６９】
図１４は、筆跡管理情報の具体例を示した図である。
図示するように、筆跡管理情報は、ストロークＩＤと、識別情報と、ストローク情報と、筆記時間情報とを対応付けたものとなっている。
ストロークＩＤは、既に述べた通り、ストローク情報を一意に識別するための情報である。
識別情報は、既に述べた通り、媒体を一意に識別するための情報である。
ストローク情報は、既に述べた通り、媒体に対する筆記内容を電子化した情報であり、１つのストロークに対応する情報である。尚、ここでは、ストロークをイメージデータとしてではなく、媒体上のペン先が位置した座標の集合として記憶しているが、ストローク情報をイメージデータとして記憶し、その開始点の座標のみを記憶するものでもよい。
筆記時間情報は、筆跡情報における各ストロークの開始時刻及び終了時刻を示す情報である。
【００７０】
図には、例えば、ストロークＩＤ「Ｓ１１」のストローク情報が、識別情報「０００００１」の媒体に対するストローク情報であって、媒体上の点の集合｛（Ｘ１１，Ｙ１１），（Ｘ１２，Ｙ１２），（Ｘ１３，Ｙ１３），・・・｝として表され、時刻「Ｔ１１」から時刻「Ｔ１２」の間に書かれたものであることが示されている。
【００７１】
［支援情報の表示］
試験の終了後に、このように記憶された受験者の筆跡情報を設問に対応付け、設問を解く際の思考の過程を示す筆跡情報を支援情報として端末装置５０のディスプレイに表示したい場合がある。しかしながら、解答欄への記入時刻に基づいて筆跡情報を設問に対応付けたとすると、受験者がある設問の解答を解答欄に記入する前に別の設問に取り掛かった場合等において、筆跡情報を設問に正しく対応付けられないことがある。その結果、受験者の解答へ至る過程での記述がどの設問を解いている際になされたのかについて誤認識が発生し、この記述に基づいて採点が行われたとすると、受験者の意図しない記述を対象とした採点となってしまう。
そこで、本実施の形態では、筆跡情報の位置と設問の位置との比較結果に基づく筆跡情報と設問との対応付けを、筆跡情報に含まれる文字列や基本図形と設問に含まれる文字列や基本図形との比較結果に応じて修正するようにした。
【００７２】
このような支援情報の表示を行うときには、端末装置５０及び学習支援サーバ７０が中心となって動作する。但し、端末装置５０は、支援情報の表示指示を送信する機能と支援情報の表示を行う機能があればよく、学習支援サーバ７０は、印刷文書の出力についての説明で述べたので、ここでの詳細な説明は省略する。
【００７３】
次に、端末装置５０からの要求に応じて学習支援サーバ７０が端末装置５０に支援情報を表示する際の動作について説明する。
まず、端末装置５０は、支援情報の表示指示を学習支援サーバ７０に送信する。ここで、支援情報の表示指示には、設問ごとに受験者の考え方を表す記述と正しい考え方を表す記述とを対応付けた対応情報を表示する指示や、設問ごとに解答を得るのに要した時間や解答を記入した時刻を表すグラフを表示する指示がある。
これにより、学習支援サーバ７０では、受信部７１が、支援情報の表示指示を受信し、これをストローク群生成部７５に伝える。すると、ストローク群生成部７５が、筆跡管理情報記憶部７３に記憶された筆跡情報に含まれる各ストローク情報をグループ化して、ストローク群を生成する処理を行う。
【００７４】
図１５は、このときのストローク群生成部７５の動作例を示したフローチャートである。
ストローク群生成部７５は、まず、筆跡管理情報記憶部７３に記憶された筆跡管理情報の１つのレコードを読み出す（ステップ７６１）。次に、更に別のレコードがあるかどうかを判定し（ステップ７６２）、あれば、そのレコードを読み出す（ステップ７６３）。そして、今回読み出したレコードにおけるストロークの開始時刻から、１つ前に読み出したレコードにおけるストロークの終了時刻を減算して得られた差分ΔＴが、別個の記述と判断される筆記時刻の間隔である閾値Ｔｈを超えているかどうかを判定する（ステップ７６４）。
【００７５】
その結果、差分ΔＴが閾値Ｔｈを超えていないと判定された場合、ステップ７６２へ戻る。即ち、ストローク群生成部７５は、更に別のレコードがあるかどうかを判定し（ステップ７６２）、あれば、そのレコードを読み出し（ステップ７６３）、再び、差分ΔＴが閾値Ｔｈを超えているかどうかを判定する（ステップ７６４）。
ストローク群生成部７５は、このようなレコードの読出しを差分ΔＴが閾値Ｔｈを超えていると判定されるまで繰り返す。そして、差分ΔＴが閾値Ｔｈを超えていると判定された場合、最初にレコードを読み出してから又は前回差分ΔＴが閾値Ｔｈを超えていると判定されてから読み出したレコードにおけるストローク情報をグループ化してストローク群を生成する（ステップ７６５）。
【００７６】
その後、ストローク群生成部７５は、ストローク群ＩＤと、ストロークＩＤと、ページ番号と、座標情報と、筆記時間情報とを対応付けたストローク群管理情報を、文書ＩＤに関連付けて、ストローク群管理情報記憶部７７０に記憶する（ステップ７６６）。
ここで、ストローク群ＩＤは、ストローク群を一意に識別するための情報であり、ストローク群生成部７５がストローク群管理情報を記憶するに当たってストローク群に付与したものである。
また、ストロークＩＤとしては、グループ化されたレコードにおけるストロークＩＤを記憶する。
【００７７】
更に、ページ番号及び座標情報としては、識別情報に基づいて識別情報サーバ３０に問い合わせて得られた情報を記憶すればよい。即ち、ストローク群生成部７５が識別情報を送信部７９に渡すと、送信部７９が識別情報を識別情報サーバ３０に送信する。これにより、識別情報サーバ３０では、受信部３１が識別情報を受信し、媒体管理部３２が媒体管理情報（図７参照）からこの識別情報に対応する文書ＩＤ、ページ番号、印刷設定を取得し、送信部３９がこれらの情報を学習支援サーバ７０に返す。すると、学習支援サーバ７０では、受信部７１が、文書ＩＤ、ページ番号、印刷設定を受信し、ストローク群生成部７５がこのページ番号を記憶する。また、ストローク群生成部７５は、印刷設定に基づいて座標情報を算出し、これを記憶する。例えば、電子文書の２ページを媒体の１ページに印刷するという印刷設定が得られた場合、その印刷設定に応じた座標変換を行うことにより、座標情報が算出される。
更にまた、筆記時間情報としては、グループ化された最初のレコードにおける開始時刻から最後のレコードにおける終了時刻までの時間を記憶する。
尚、このストローク群管理情報全体が、例えば、識別情報サーバ３０から得た文書ＩＤに対応する記憶領域に記憶されることで、文書ＩＤに関連付けられる。
【００７８】
また、ステップ７６２で、更に別のレコードがないと判定された場合は、処理対象のストロークはないので、最初にレコードを読み出してから又は前回差分ΔＴが閾値Ｔｈを超えていると判定されてから読み出したレコードにおけるストローク情報をグループ化してストローク群を生成する（ステップ７６７）。
その後、ストローク群生成部７５は、ストローク群ＩＤと、ストロークＩＤと、ページ番号と、座標情報と、筆記時間情報とを対応付けたストローク群管理情報を、文書ＩＤに関連付けて、ストローク群管理情報記憶部７７０に記憶する（ステップ７６８）。尚、ストローク群ＩＤ、ストロークＩＤ、ページ番号、座標情報、筆記時間情報の取得方法については既に述べたので、ここでの詳しい説明は省略する。
【００７９】
図１６は、このようなストロークのグループ化を模式的に示した図である。
図示するように、時刻順にストロークを走査し、ストロークの終了時刻と次のストロークの開始時刻との差分ΔＴが閾値Ｔｈを超えていれば、そこまでを１つのストローク群とする。この例では、ストロークＩＤ「Ｓ１１」〜「Ｓ１５」のストロークがグループ化されてストローク群ＩＤ「Ｇ０１」のストローク群が構成され、ストロークＩＤ「Ｓ２１」〜「Ｓ２４」のストロークがグループ化されてストローク群ＩＤ「Ｇ０２」のストローク群が構成されている。つまり、ストロークＩＤ「Ｓ１１」〜「Ｓ１５」における各ストロークの終了時刻とそれに続くストロークの開始時刻との差分ΔＴ、及び、ストロークＩＤ「Ｓ２１」〜「Ｓ２４」における各ストロークの終了時刻とそれに続くストロークの開始時刻との差分ΔＴは、全て閾値Ｔｈ以下である。これに対し、ストロークＩＤ「Ｓ１５」のストロークの終了時刻「Ｔ５２」とそれに続くストロークＩＤ「Ｓ２１」のストロークの開始時刻「Ｔ６１」との差分ΔＴは閾値Ｔｈを超えているので、ストローク群ＩＤ「Ｇ０１」のストローク群とストローク群ＩＤ「Ｇ０２」のストローク群とに分けられている。
【００８０】
図１７は、ストローク群管理情報の具体例を示した図である。
図示するように、ストローク群管理情報は、ストローク群ＩＤと、ストロークＩＤと、ページ番号と、座標情報と、筆記時間情報と、設問番号とを対応付けたものとなっている。
ストローク群ＩＤは、既に述べた通り、ストローク群を一意に識別するための情報である。
ストロークＩＤは、対応するストローク群を構成するストロークのストロークＩＤである。
ページ番号は、対応するストローク群が記述された媒体に対応する電子文書のページのページ番号である。
座標情報は、対応するストローク群が記述された媒体上の座標に対応する電子文書のページ内の座標を表す情報である。
設問番号は、対応するストローク群が割り当てられた設問の番号である。
【００８１】
図には、例えば、ストローク群ＩＤ「Ｇ０１」のストローク群が、ストロークＩＤ「Ｓ１１」、「Ｓ１２」、「Ｓ１３」等のストロークをグループ化したものであり、１ページ目の座標（２２，１３）と座標（３４，１６）とで規定される領域に、１０時５分から１０時２５分に亘って記述されたことが示されている。尚、設問番号については、この時点ではまだ割り当てが行われていないので、空白になっている。
【００８２】
図１８は、このようなストローク群管理情報で管理されるストローク群のうち１ページ目におけるストローク群を、図９の電子文書を印刷した問題用紙上に示したものである。
図示するように、問題用紙の１ページ目においては、設問１の右側にストローク群ＩＤ「Ｇ０１」のストローク群が記述され、設問２の下側にストローク群ＩＤ「Ｇ０３」のストローク群が記述され、設問１の上側にストローク群ＩＤ「Ｇ０８」のストローク群が記述されている。尚、これらのストローク群は、図１７から明らかなように、ストローク群ＩＤ「Ｇ０１」のストローク群、ストローク群ＩＤ「Ｇ０３」のストローク群、ストローク群ＩＤ「Ｇ０８」のストローク群の順に記述されたものである。
【００８３】
次いで、第１割り当て部７６が、設問の位置とストローク群の位置との比較結果に基づいて、ストローク群を設問に割り当てる。
図１９は、このときの第１割り当て部７６の動作例を示したフローチャートである。
第１割り当て部７６は、まず、ストローク群管理情報記憶部７７０に記憶されたストローク群管理情報から１つのレコードを読み出す（ステップ７７１）。
次に、第１割り当て部７６は、同じページ上で、この読み出したレコードにおけるストローク群よりも上に設問番号が存在するかどうかを判定する（ステップ７７２）。具体的には、解析結果記憶部７４０に記憶された解析結果のうち設問番号を表すレコードを参照する。そして、その中に、ステップ７７１で読み出したレコードにおけるページ番号と同じページ番号を含み、かつ、ステップ７７１で読み出したレコードにおける左上点のＹ座標よりも小さな左上点のＹ座標を含むレコードが存在するかどうかを判定する。
【００８４】
その結果、同じページ上で、ステップ７７１で読み出したレコードにおけるストローク群よりも上に設問番号が存在すると判定された場合は、その読み出したレコードに対し、ステップ７７２で見つかった設問の設問番号を設定して、ストローク群管理情報記憶部７７０に書き戻す（ステップ７７３）。
一方、同じページ上で、ステップ７７１で読み出したレコードにおけるストローク群よりも上に設問番号が存在しないと判定された場合は、前ページがあるかどうかを判定する（ステップ７７４）。そして、前ページがあれば、その読み出したレコードに対し、前ページの最も下の設問の設問番号を設定して、ストローク群管理情報記憶部７７０に書き戻す（ステップ７７５）。具体的には、解析結果記憶部７４０から前ページのレコードを検索し、ページの下から探索して最初に見つかった設問番号（右下点のＹ座標が最も大きいレコードにおける設問番号）を設定する。また、前ページがなければ、ステップ７７１で読み出したレコードに、最初の設問の設問番号（設問１）を設定し、ストローク群管理情報記憶部７７０に書き戻す（ステップ７７６）。つまり、単独ページ又は最初のページの場合には、最初の設問番号（設問１）に割り当てる。
【００８５】
その後、第１割り当て部７６は、ストローク群管理情報記憶部７７０に他のレコードがあるかどうかを判定する（ステップ７７７）。そして、他のレコードがあれば、ステップ７７１〜７７６の処理を繰り返すが、他のレコードがなければ、処理は終了する。
【００８６】
図２０に、このときのストローク群管理情報について示す。
図では、例えば、ストローク群ＩＤ「Ｇ０１」のストローク群は、設問１に割り当てられている。この場合、ストローク群の左上点のＹ座標は「１３」であり、図１０に示したように、設問１の左上点のＹ座標は「４」なので、ステップ７７２で「Ｙｅｓ」と判定され、設問１に割り当てられる。
また、ストローク群ＩＤ「Ｇ０３」のストローク群は、設問２に割り当てられている。この場合、ストローク群の左上点のＹ座標は「３８」であり、図１０に示したように、設問２の左上点のＹ座標は「３０」なので、ステップ７７２で「Ｙｅｓ」となり、設問２に割り当てられる。
更に、ストローク群ＩＤ「Ｇ０８」のストローク群は、設問１に割り当てられている。この場合、ストローク群の左上点のＹ座標は「１」であり、図１０に示したように、左上点のＹ座標がこれよりも小さい設問番号はないので、ステップ７７２で「Ｎｏ」となり、前ページがないので、ステップ７７４でも「Ｎｏ」となり、設問１に割り当てられる。
【００８７】
このように設問の位置とストローク群の位置との比較結果に基づいてストローク群を設問に割り当てた後、更に、第２割り当て部７７が、設問に含まれる文書要素とストローク群に含まれる文書要素との比較結果に基づいて、設問に対するストローク群の割り当てを修正する。
図２１は、このときの第２割り当て部７７の動作例を示したフローチャートである。
第２割り当て部７７は、まず、ストローク群管理情報記憶部７７０に記憶されたストローク群管理情報から１つのレコードを読み出す（ステップ７８１）。
次に、第２割り当て部７７は、この読み出したレコードにおけるストローク群がテキストを主体としたものか図形を主体としたものかを判定する（ステップ７８２）。この判定は、例えば、通常の筆記における平均ストローク長よりも極端に長いストロークがストローク群内に存在するかどうか、或いは、他のストローク群における平均ストローク長よりも極端に長いストロークがストローク群内に存在するかどうか等を調べることによって行うとよい。
【００８８】
その結果、ストローク群がテキストを主体としたものと判定された場合、例えば、極端に長いストロークが存在しない場合、第２割り当て部７７は、ストローク群に対して文字認識を行い、文字コードで表わされる文字列を取得する（ステップ７８３）。尚、この文字認識においては、図８のステップ７４７で尤度が更新された文字認識用辞書が用いられる。
一方、ストローク群が図形を主体としたものと判定された場合、例えば、極端に長いストロークが存在する場合、第２割り当て部７７は、ストローク群から基本図形を取得する（ステップ７８４）。
次に、図１０の解析結果のレコードのうち、ステップ７８１で読み出したレコードにおける設問番号を含み、かつ、ステップ７８３で取得した文字列又はステップ７８４で取得した基本図形を含むレコードを探し、そのレコードの数を求める（ステップ７８５）。尚、この場合、レコードが文字列又は基本図形を含むかどうかは、文字列の場合には、文字コードで比較し、図形の場合には、パターンマッチングで比較することが考えられる。
【００８９】
そして、第２割り当て部７７は、ステップ７８５で求めたレコードの数が、予め定めた基準値を超えているかどうかを判定する（ステップ７８６）。
ここで、レコード数が基準値を超えていないと判定されたとする。この場合は、設問の位置とストローク群の位置との比較結果に基づいて決定したストローク群の設問への割り当てが誤っている可能性が高い場合である。従って、第２割り当て部７７は、ステップ７８１で読み出したレコードに含まれる設問番号の前後の設問番号に着目し、この設問番号を含み、かつ、ステップ７８３で取得した文字列又はステップ７８４で取得した基本図形を含むレコードを探し、そのレコードの数を求める（ステップ７８７）。ここで、新たに着目する前後の設問は、隣接する他の部分の一例である。尚、前の設問に先に着目するか、後の設問に先に着目するかは、予めルールとして設定しておけばよい。
【００９０】
その後、第２割り当て部７７は、ステップ７８７で求めたレコードの数が、予め定めた基準値を超えているかどうかを判定する（ステップ７８８）。
その結果、レコード数が基準値を超えていないと判定されれば、ステップ７８７へ戻り、第２割り当て部７７は、レコード数が基準値を超えていると判定されるまでステップ７８７〜７８８の処理を繰り返す。そして、レコード数が基準値を超えていると判定されると、ステップ７８１で読み出したレコードに設定された設問番号を、今回着目している設問番号に変更する（ステップ７８９）。
【００９１】
一方、ステップ７８６でレコード数が基準値を超えていると判定されたとする。この場合は、設問の位置とストローク群の位置との比較結果に基づいて決定したストローク群の設問への割り当てが正しい可能性が高い場合である。従って、第２割り当て部７７は、ステップ７８１で読み込んだレコードに設定された設問番号を変更せずに、次の処理に移る。
【００９２】
その後、第２割り当て部７７は、ストローク群管理情報記憶部７７０に他のレコードがあるかどうかを判定する（ステップ７９０）。そして、他のレコードがあれば、ステップ７８１〜７８９の処理を繰り返すが、他のレコードがなければ、処理は終了する。
【００９３】
尚、この動作例では、全ての設問についてステップ７８８で「Ｎｏ」となる場合については想定しなかった。しかしながら、受験者の記述内容や、文字認識の精度によっては、このような場合が生ずることも考えられる。そのような場合は、ステップ７８５で求めたレコード数、及び、ステップ７８７で求めたレコード数のうち、最も多いレコード数が得られたときに着目した設問番号に割り当てればよい。
【００９４】
図２２に、このときのストローク群管理情報について示す。
図２１では、ストローク群ＩＤ「Ｇ０８」のストローク群が設問１に割り当てられていたが、図２２では、設問２に割り当てが変更されている。これは、ストローク群ＩＤ「Ｇ０８」のストローク群内の文字列又は図形が、設問１内の文字列又は図形と予め定めた割合以上で一致せず、設問２内の文字列又は図形と予め定めた割合以上で一致したからである。このことから、受験者は、設問２を解くためにストローク群ＩＤ「Ｇ０３」のストローク群を記述していたが、その後、別のページの設問に移り、再び１ページ目に戻ってきてページの上の余白に設問２を解くための記述を行ったと推測される。
【００９５】
このようにストローク群の設問への割り当てが修正されると、次に、支援情報生成部７８が、この修正後のストローク群管理情報に基づいて、支援情報を生成する。そして、支援情報は、送信部７９に渡され、送信部７９によって端末装置５０に送信され、端末装置５０にてディスプレイに表示される。
ここで、支援情報としては、設問ごとに受験者の考え方を表す記述と正しい考え方を表す記述とを対応付けた対応情報や、設問ごとに解答を得るのに要した時間や解答を記入した時刻を表すグラフが考えられる。
そこで、前者の支援情報を第１の支援情報、後者の支援情報を第２の支援情報として、その生成方法を説明する。
【００９６】
まず、第１の支援情報の生成方法について説明する。
この場合、支援情報生成部７８は、ストローク群管理情報記憶部７７０に記憶されたストローク群管理情報から、設問番号をキーとして、１つ以上のレコードを取り出し、筆記時間情報に基づいて時系列に並べる。そして、筆跡管理情報記憶部７３に記憶された筆跡管理情報から、各レコードに対応するストローク情報を読み出し、これらを時系列に並べて設問番号に関連付ける。また、設問番号に対する正しい考え方の記述を解答情報記憶部から読み出し、これも設問番号に関連付ける。その後、設問番号と、これに関連付けられ時系列に並べられたストローク情報と、これに関連付けられた解答情報との対応情報を、支援情報として生成する。
【００９７】
図２３は、このようにして生成され、端末装置５０のディスプレイに表示された第１の支援情報の例である。この図は、設問３に対する受験者の考え方と正しい考え方を比較表示したものである。
【００９８】
次に、第２の支援情報の生成方法について説明する。
この場合、支援情報生成部７８は、ストローク群管理情報記憶部７７０に記憶されたストローク群管理情報から、設問番号をキーとして、１つ以上のレコードを取り出し、筆記時間情報を時系列に並べる。そして、図７の文書ＩＤ「ＤｏｃＡ」の電子文書が印刷された印刷文書（解答用紙）に対する筆跡情報から得られた各設問に対する解答記入時刻を取得する。その後、設問番号と、これに関連付けられ時系列に並べられた筆記時間情報と、これに関連付けられた解答記入時刻情報とを示すグラフを、支援情報として生成する。
【００９９】
図２４は、このようにして生成され、端末装置５０のディスプレイに表示された第２の支援情報の例である。この図では、受験者の設問ごとの時間配分が示されている。また、黒塗りの逆三角形によって、解答記入時刻も示されている。尚、斜線ハッチングの帯は、解答欄記入前に記述した時間帯を示しており、網掛けの帯は、解答欄記入後に記述した時間帯を示している。
【０１００】
尚、本実施の形態では、筆跡情報の位置と設問の位置とを電子文書上で比較したが、これには限らない。これらの位置を媒体上で比較するようにしてもよい。この場合は、まず、電子文書解析部７４が、図８のステップ７４２でページ番号を取得する際に、識別情報サーバ３０の媒体管理情報記憶部３３を参照し、識別情報を取得する。そして、ステップ７４６及びステップ７４９で座標情報を生成する際に、識別情報サーバ３０の媒体管理情報記憶部３３を参照し、印刷設定を考慮した媒体上の座標情報を生成する。ここで、電子文書解析部７４は、電子文書が印刷された媒体における電子文書を構成する部分が印刷された位置を示す第１の位置情報を取得する第１の位置情報取得手段の一例である。また、ストローク群生成部７５が、図１５のステップ７６６及びステップ７６８でストローク群管理情報を記憶する際に、識別情報をページ番号に置き換えたり、媒体上の座標情報を電子文書上の座標情報に置き換えたりしないようにする。
【０１０１】
また、本実施の形態では、設問が筆跡情報よりも上にある場合、設問が筆跡情報よりも上になければ前のページにある場合等に、筆跡情報を設問に割り当てるようにしたが、筆跡情報を設問に割り当てるための位置関係に関する条件はこれに限らない。例えば、電子文書を特殊なレイアウトで媒体に印刷し、筆跡情報の位置と設問の位置とを媒体上で比較する場合、この特殊なレイアウトを考慮した位置関係に関する条件を決めておく必要がある。つまり、筆跡情報の位置と設問の位置とが予め定めた位置関係にあれば、筆跡情報を設問に割り当てる、というものでよい。
【０１０２】
更に、本実施の形態では、筆跡情報を設問に割り当てることが意味を持つ学習支援システムを想定したが、これに限るものではない。電子文書が複数の部分に分けられ、筆跡情報をその複数の部分の何れかに割り当てることが意味を持つシステムであれば、如何なるシステムにも本発明は適用可能である。即ち、本実施の形態における設問の領域は、電子文書を構成する部分の一例である。
【０１０３】
ところで、本実施の形態では、デジタルペン６０が筆跡情報を生成し、学習支援サーバ７０が筆跡情報を管理し、端末装置５０が支援情報の表示を要求し、学習支援サーバ７０が筆跡情報を設問に関連付けて支援情報を生成するようにした。しかしながら、これらの処理を如何なる装置で行うかについては種々のバリエーションが考えられる。例えば、筆跡情報の生成は、デジタルペン６０から送られた位置情報に基づいて端末装置５０又は学習支援サーバ７０が行ってもよいし、筆跡情報の管理は、端末装置５０が行ってもよい。
そこで、これらの処理をコンピュータ９０で行うものとして、コンピュータ９０のハードウェア構成について説明する。
【０１０４】
図２５は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各処理部を実現する。また、メインメモリ９２は、各種ソフトウェアやその実行に用いるデータ等を記憶し、磁気ディスク装置９３は、各種ソフトウェアに対する入力データや各種ソフトウェアからの出力データ等を記憶し、これらの一方又は両方が上述した各記憶部を実現する。
更に、コンピュータ９０は、外部との通信を行うための通信Ｉ／Ｆ９４と、ビデオメモリやディスプレイ等からなる表示機構９５と、キーボードやマウス等の入力デバイス９６とを備える。
【０１０５】
尚、本実施の形態を実現するプログラムは、通信手段により提供することはもちろん、ＣＤ−ＲＯＭ等の記録媒体に格納して提供することも可能である。
【符号の説明】
【０１０６】
１０，５０…端末装置、２０…文書サーバ、３０…識別情報サーバ、４０…画像形成装置、６０…デジタルペン、７０…学習支援サーバ、８０…ネットワーク
【図１】
2011048491.tif 000003
【図２】
2011048491.tif 000004
【図３】
2011048491.tif 000005
【図４】
2011048491.tif 000006
【図５】
2011048491.tif 000007
【図６】
2011048491.tif 000008
【図７】
2011048491.tif 000009
【図８】
2011048491.tif 000010
【図９】
2011048491.tif 000011
【図１０】
2011048491.tif 000012
【図１１】
2011048491.tif 000013
【図１２】
2011048491.tif 000014
【図１３】
2011048491.tif 000015
【図１４】
2011048491.tif 000016
【図１５】
2011048491.tif 000017
【図１６】
2011048491.tif 000018
【図１７】
2011048491.tif 000019
【図１８】
2011048491.tif 000020
【図１９】
2011048491.tif 000021
【図２０】
2011048491.tif 000022
【図２１】
2011048491.tif 000023
【図２２】
2011048491.tif 000024
【図２３】
2011048491.tif 000025
【図２４】
2011048491.tif 000026
【図２５】
2011048491.tif 000027